(57)【特許請求の範囲】
【請求項１】
底面板の各辺に、それぞれ側面外板と側面内板とを、各々折り目線を介して順に連設してなる二重壁式の箱において、この二重壁式の箱の対向する側面内板の各々少なくとも１ヵ所に、それぞれＹ字状の差込み切り欠きを設け、それぞれの両端に折り目線を介して差込み片を連設した二つ折りの仕切り板を、該仕切り板の差込み片を前記Ｙ字状の差込み切り欠きに差込み繋止してなることを特徴とする中仕切り付箱。
【請求項２】
前記仕切り板の少なくとも１ヵ所に、Ｙ字状の差込み切り欠きを設けたことを特徴とする請求項１記載の中仕切り付箱。
【発明の詳細な説明】
【０００１】
【発明の属する技術分野】
本発明は、中仕切りを有する菓子・食品・飲料類や衣類・装飾品・日用品などの、各種の製品を収容する、工程が簡単で作製費用が廉価な、板紙製や段ボール紙製やプラスチックシート製などの中仕切り付箱に関する。
【０００２】
【従来の技術】
従来から、菓子・食品・飲料類や衣類・装飾品・日用品など各種の製品を収容するための中仕切りとして、図５に示すような、それぞれ長方形状の底敷板２３と仕切り板２０・２０と底敷板２３と仕切り板２０・２０と底敷板２３と仕切り板２０・２０と底敷板２３とを、それぞれ谷折り線と折り目線とを介して順に連設して、単に全ての谷折り線を谷折りして折り目線を山折りした、板紙製や段ボール紙製などの中仕切りが、一般に広く用いられている。
【０００３】
【発明が解決しようとする課題】
ところが従来の、図５に示す中仕切りについては、無駄がない長方形状のブランクから成る、工程・構造が簡単で作製費用が廉価な板紙製や段ボール紙製などの中仕切りであるものの、箱に繋止・固定されていないために、紙の反発力で中仕切りが浮き上がって各種の製品を収容し難いなどの、また収容した各種の製品を確実に保持できないなどの、中仕切りの安定性と保形性とに問題があった。
【０００４】
ところで、本発明の目的は、菓子・食品・飲料類や衣類・装飾品・日用品などの、各種の製品を収容する、簡単に装着できる、安定性と保形性に優れた、工程が簡単で作製費用が廉価な、板紙製や段ボール紙製やプラスチックシート製などの中仕切りを有する中仕切り付箱を提供することにある。
【０００５】
【課題を解決するための手段】
本発明の中仕切り付箱は、底面板の各辺に、それぞれ側面外板と側面内板とを、各々折り目線を介して順に連設してなる二重壁式の箱において、この二重壁式の箱の対向する側面内板の各々少なくとも１ヵ所に、それぞれＹ字状の差込み切り欠きを設け、それぞれの両端に折り目線を介して差込み片を連設した二つ折りの仕切り板を、該仕切り板の差込み片を前記Ｙ字状の差込み切り欠きに差込み繋止してなることを特徴とする中仕切り付箱である。
【０００６】
加えて、本発明の中仕切り付箱は、前記仕切り板の少なくとも１ヵ所に、Ｙ字状の差込み切り欠きを設けたことを特徴とする中仕切り付箱である。
【０００７】
【作用】
本発明の中仕切り付箱は、対向する側面内板に設けたＹ字状の差込み切り欠きに、二つ折りした仕切り板の両端に設けた差込み片を差込んで繋止するだけで、簡単に装着でき、中仕切りをしっかり保持し、各種の製品を収容し易いなどの、また収容した各種の製品を確実に保持できるなどの、安定性と保形性とが優れた中仕切り付箱を提供することができる。
【０００８】
【発明の実施の形態】
本発明の中仕切り付箱については後述する実施例に示すように、適宜の板紙や段ボール紙やプラスチックシートなどを用いて、通常の打抜型を用いた打抜工程で、図５に示す従来の中仕切りに比較して、板紙などの消費が格段に少ない、無駄がない長方形状の中仕切りのブランクを作製して、簡単な手作業で、通常の二重壁式の箱４０に装着できるので、工程が簡単で作製費用が廉価な中仕切り付箱を提供することができる。
【０００９】
【実施例】
＜実施例１＞
図１Ａは、本発明の実施例１における、中仕切りのブランクの平面図であって、図１Ｂは、二重壁式の箱４０のブランクの平面図である。
また図２は、本発明の実施例１における、二重壁式の箱４０に中仕切りを装着した状態を示す斜視図である。
【００１０】
すなわち、長方形状の仕切り板２０・２０を、折り目線（山折り線）を介して連設して、この仕切り板２０・２０のそれぞれの両端に、角を丸めた長方形状の差込み片２１・２１・２１・２１を、それぞれ折り目線（谷折り線）を介して連設して、加えてこの仕切り板２０・２０の下辺（図１Ａでは下辺又は上辺）に、長方形状の折返し片２２・２２を、それぞれ折り目線（谷折り線）を介して連設した、図１Ａに示す中仕切りのブランクであって、印刷をしていない３５０ｇ／ｍ2 のコートボール紙を用いて、通常の打抜型を用いた打抜工程で、仕切り板２０の横・高さが１９５×４５ｍｍの、無駄がない長方形状の贈答箱用の中仕切のブランクを作製した。
【００１１】
また、長方形状の底面板の各辺に、それぞれ側面外板と側面内板とを、各々折り目線を介して順に連設してなる二重壁式の箱において、対向する左右の側面内板４１
・４１の中央部に、それぞれＹ字状（図１Ｂでは横向Ｙ字状）の差込み切り欠き３０・３０を設けた、図１Ｂに示す二重壁式の箱４０のブランクであって、通常の印刷をした４００ｇ／ｍ2のコートボール紙を用いて、通常の打抜型を用いた打抜工程で、収容部の縦・横・深さが３９２×１９６×５０ｍｍの、通常の二重壁式の箱４０のブランクを作製した。
【００１２】
次に、簡単な手作業で、図１Ａに示す中仕切りのブランクの、符号がない１点鎖線で示す折り目線（山折り線）を山折りして、また符号がない破線で示す６本の折り目線（谷折り線）を谷折りして、図２に示すように、従来と同様に製箱した二重壁式の箱４０の、左右の側面内板４１・４１の中央部に設けたＹ字状の差込み切り欠き３０・３０に、仕切り板２０・２０の差込み片２１・２１・２１・２１を、それぞれ差込んで繋止したところ、直角に谷折りして繋止した差込み片２１・２１・２１・２１が仕切り板２０・２０をしっかり保持した、加えて直角に谷折りした折返し片２２・２２が仕切り板２０・２０をしっかり保形した、菓子・食品・飲料類や衣類・装飾品・日用品などの、各種の製品を収容し易いなどの、また収容した各種の製品を確実に保持できるなどの、簡単に装着できる、安定性と保形性とが優れた中仕切り付箱を得ることができた。
【００１３】
＜実施例２＞
図３Ａは、本発明の実施例２における中仕切りのブランクの平面図であって、図３Ｂは、二重壁式の箱４０のブランクの平面図である。
また図４Ａ・図４Ｂは、本発明の実施例２における、二重壁式の箱４０に３枚の中仕切りを装着した状態を示す斜視図である。
【００１４】
すなわち、それぞれの中央部に、それぞれＹ字状（図３ＡではＹ字状又は逆向Ｙ字状）の差込み切り欠き３０・３０を設けた長方形状の仕切り板２０・２０を、折り目線（山折り線）を介して連設して、この仕切り板２０・２０のそれぞれの両端に、角を丸めた長方形状の差込み片２１・２１・２１・２１を、それぞれ折り目線（谷折り線）を介して連設して、加えてこの仕切り板２０・２０の下辺（図３Ａでは下辺又は上辺）に、長方形状の折返し片２２・２２をそれぞれ折り目線（谷折り線）を介して連設した、図３Ａに示す中仕切りのブランクであって、実施例１と同様に、印刷をしていない３５０ｇ／ｍ2 のコートボール紙を用いて、通常の打抜型を用いた打抜工程で、仕切り板２０の横・高さが１９５×４５ｍｍの、３枚の無駄がない長方形状の中仕切りのブランクを作製した。
【００１５】
また、長方形状の底面板の各辺に、それぞれ側面外板と側面内板とを、各々折り目線を介して順に連設してなる二重壁式の箱において、対向する左右の側面内板４１・４１の中央部と前後部とに、それぞれＹ字状（図３Ｂでは横向Ｙ字状）の、それぞれ等間隔の差込み切り欠き３０・３０・３０・３０・３０・３０を設けて、また前後の側面内板４２・４２の中央部に、それぞれＹ字状（図３ＢではＹ字状又は逆向Ｙ字状）の差込み切り欠き３０・３０を設けた、図３Ｂに示す二重壁式の箱４０のブランクであって、通常の印刷をした４００ｇ／ｍ2のコートボール紙を用いて、通常の打抜型を用いた打抜工程で、収容部の縦・横・深さが３９２×１９６×５０ｍｍの、通常の二重壁式の箱４０のブランクを作製した。
【００１６】
次に、簡単な手作業で、３枚の図３Ａに示す中仕切りのブランクの、符号がない１点鎖線で示すそれぞれの折り目線（山折り線）を山折りして、また符号がない破線で示すそれぞれ６本の折り目線（谷折り線）を谷折りして、図４Ａに示すように、従来と同様に製箱した二重壁式の箱４０の、左右の側面内板４１・４１の中央部と前後部とに設けたＹ字状の差込み切欠き３０・３０・３０・３０・３０・３０に、３枚の中仕切りのそれぞれの仕切り板２０・２０の差込み片２１・２１・２１・２１を、それぞれ差込んで繋止したところ、また図４Ｂに示すように、従来と同様に製箱した二重壁式の箱４０の、左右の側面内板４１・４１の中央部と後部とに設けたＹ字状の差込み切欠き３０・３０・３０・３０に、２枚の中仕切りの、それぞれの仕切り板２０・２０の差込み片２１・２１・２１・２１を、それぞれ差込んで繋止した後に、前部の側面内板４２の中央部に設けたＹ字状の差込み切り欠き３０と、一方の仕切り板２０の中央部に設けたＹ字状の差込み切り欠き３０とに、残り１枚の中仕切りの、仕切り板２０・２０の差込み片２１・２１・２１・２１を、それぞれ差込んで繋止したところ、実施例１と同様に、直角に谷折りして繋止したそれぞれの差込み片２１・２１・２１・２１が仕切り板２０・２０をしっかり保持した、加えて直角に谷折りしたそれぞれの折返し片２２・２２が仕切り板２０・２０をしっかり保形した、菓子・食品・飲料類や衣類・装飾品・日用品などの、各種の製品を収容する都合や店頭での展示効果などに応じて、簡単に変更して装着できる、安定性と保形性とが優れた中仕切り付箱を得ることができた。
【００１７】
【発明の効果】
以上、本発明の中仕切り付箱においては、長方形状の仕切り板を折り目線を介して連設して、この仕切り板の左右辺に適宜形状の差込み片を、それぞれ谷折り線を介して連設して、加えてこの仕切り板の下辺に長方形状の折返し片を、それぞれ谷折り線を介して連設したことによって、全ての折り目線（山折り線）を山折りして折り目線（谷折り線）を谷折りして、二重壁式の箱の左右の側面内板などに設けたＹ字状の差込み切り欠きに、仕切り板の差込み片を、それぞれ差込んで繋止するだけで簡単に装着できる、直角に谷折りして繋止した差込み片が仕切り板をしっかり保持した、加えて直角に谷折りした折返し片が仕切り板をしっかり保形した、安定性と保形性とが優れた中仕切りを提供することができる。
また、差込み切り欠きをＹ字状にすることにより差込み易くなっている。そして、差込み切り欠きが左右対称となっているので、中仕切りを安定してしっかりと保持することができる。
【図面の簡単な説明】
【図１】本発明の実施例１における、図１Ａは、中仕切りのブランクの平面図であって、図１Ｂは、二重壁式の箱４０のブランクの平面図である。
【図２】本発明の実施例１における、二重壁式の箱４０に中仕切りを装着した状態を示す斜視図である。
【図３】本発明の実施例２における、図３Ａは、中仕切りのブランクの平面図であって、図３Ｂは、二重壁式の箱４０のブランクの平面図である。
【図４】本発明の実施例２における、図４Ａ・図４Ｂは、二重壁式の箱４０に３枚の中仕切りを装着した状態を示す斜視図である。
【図５】従来の中仕切りの斜視図である。
【符号の説明】
２０  …仕切り板
２１  …差込み片
２２  …折返し片
２３  …底敷板
３０  …Ｙ字状の差込み切り欠き
４０  …二重壁式の箱
４１  …左右の側面内板
４２  …前後の側面内板
【図１】
0004075139.tif 000002
【図２】
0004075139.tif 000003
【図３】
0004075139.tif 000004
【図４】
0004075139.tif 000005
【図５】
0004075139.tif 000006